(57)【要約】【課題】極小目地であっても目地材の注入を行うことができるとともに、先端部が変形した場合に容易に元の形状に復旧できる注入装置を提供する。【解決手段】舗装ブロック（石ブロック２）を敷設するブロック舗装において、隣り合う石ブロック２，２間の極小目地３に充填材４を注入するための注入装置１であって、下端が開口したロート本体部１０と、当該ロート本体部１０の下端に着脱可能に設けられた注入部２０とを備え、注入部２０は、下方に向かうに連れて窄んでおり、注入部２０の下端部は、極小目地３に挿入可能な寸法に形成されていることを特徴とする。【選択図】図１
0003214056.tif 000002
【実用新案登録請求の範囲】
【請求項１】
舗装ブロックを敷設するブロック舗装において、隣り合う前記舗装ブロック間の極小目地に充填材を注入するための注入装置であって、
下端が開口したロート本体部と、当該ロート本体部の下端に着脱可能に設けられた注入部とを備え、
前記注入部は、下方に向かうに連れて窄んでおり、
前記注入部の下端部は、前記極小目地に挿入可能な寸法に形成されている
ことを特徴とする注入装置。
【請求項２】
注入部は、上端から下方に向かって順次幅が狭くなる断面逆三角形の傾斜部と、当該傾斜部の下端と同一幅で下方に垂下する垂下部とを備えている。
ことを特徴とする請求項１に記載の注入装置。
【請求項３】
前記ロート本体部には、当該ロート本体部を起立させる脚部が取り付けられている
ことを特徴とする請求項１または請求項２に記載の注入装置。
【請求項４】
前記注入部は、ステンレス合金にて形成されている
ことを特徴とする請求項１乃至請求項３のいずれか一項に記載の注入装置。
【考案の詳細な説明】
【技術分野】
【０００１】
本考案は、舗装ブロック間の極小隙間に目地材や下地材を注入するための注入装置に関する。
【背景技術】
【０００２】
舗装に用いられる舗装ブロック間の隙間に溶融アスファルトやアスファルトセメントグラウト等の目地材等を注入するに際しては、ロートを用いていた（例えば特許文献１，２参照）。特許文献１のロートは一般的な先細り形状であって、窄まった先端部を舗装ブロック間に挿入してグラウトを注入するようになっていた。特許文献２の注入装置は、把持用のハンドルを備えた台車にロートを取り付けられて形成されており、ハンドルを把持しながら、ロートの下端の先細りの出口を舗装ブロック間の隙間に対向させて、溶融アスファルトを注入するようになっていた。
【先行技術文献】
【特許文献】
【０００３】
【特許文献１】特開２００２−３７１５１２号公報
【特許文献１】特開平１０−３３１１０７号公報
【考案の概要】
【考案が解決しようとする課題】
【０００４】
景観を重視する舗装として石張りのブロック舗装が採用されることがある。従来の石張りブロック舗装では、舗装ブロック間の目地幅は１０ｍｍ程度であったが、近年では、美観を向上させるために、目地幅を６ｍｍ程度まで小さくした極小目地を採用することが増えてきている。目地幅を小さくした場合、従来のロートでは、先端部が舗装ブロック間の隙間に挿入できない問題があった。先端部の幅を小さくしても、狭い隙間に挿入するときに舗装ブロックの側面と引っ掛かって変形する場合があるが、先端部は注入口の幅が小さいため元の形状に復旧するのが困難であった。
【０００５】
そこで、本考案は、これらの問題に鑑みて創案されたものであり、極小目地であっても目地材の注入を行うことができるとともに、先端部が変形した場合に容易に元の形状に復旧できる注入装置を提供することを課題とする。
【課題を解決するための手段】
【０００６】
前記課題を解決するための本考案は、舗装ブロックを敷設するブロック舗装において、隣り合う前記舗装ブロック間の極小目地に充填材を注入するための注入装置であって、下端部が開口したロート本体部と、当該ロート本体部の下端に着脱可能に設けられた注入部とを備え、前記注入部は、下方に向かうに連れて窄んでおり、前記注入部の下端部は、前記極小目地に挿入可能な寸法に形成されていることを特徴とする注入装置である。
【０００７】
本考案において、極小目地とは、目地幅が６ｍｍ以下の狭い目地をいう。また、舗装ブロックは、板状の自然石やレンガやコンクリートパネルなどの人工物を含む。さらに、充填材とは、舗装ブロックの下方および側部に敷設される下地材や目地材をいう。前記構成の注入装置によれば、極小目地に充填材の注入を容易に行うことができるとともに、注入部の先端が変形しても、別途の注入部に交換することで容易に元の形状に復旧することができる。また、注入部を取り外して補修することでも元の形状に復旧することができる。この場合、注入部は注入装置の一部であって小さいので取り扱い易く補修が容易に行える。注入部に充填材が詰まって目詰まりを起こしても、ロート本体部から注入部を取り外して容易にメンテナンスや交換をすることができる。
【０００８】
また、前記注入装置では、注入部は、上端から下方に向かって順次幅が狭くなる断面逆三角形の傾斜部と、当該傾斜部の下端と同一幅で下方に垂下する垂下部とを備えているものが好ましい。このような構成によれば、注入部の垂下部を極小目地の奥まで挿入することができる。
【０００９】
さらに、前記注入装置では、前記ロート本体部には、当該ロート本体部を起立させる脚部が取り付けられているものが好ましい。このような構成によれば、充填材の注入を安定した状態で行うことができる。
【００１０】
また、前記注入装置では、前記注入部は、ステンレス合金にて形成されているものが好ましい。このような構成によれば、寸法精度が高く、正確な目地幅を備えた注入部を形成することができる。
【考案の効果】
【００１１】
本考案によれば、極小目地であっても充填材の注入を行うことができるとともに、先端部が変形した場合に容易に元の形状に復旧することができる。
【図面の簡単な説明】
【００１２】
【図１】本考案の第一実施形態に係る注入装置を示した斜視図である。
【図２】本考案の第一実施形態に係る注入装置を下側から見た斜視図である。
【図３】本考案の第一実施形態に係る注入装置を下側から見た分解斜視図である。
【図４】（ａ）は本考案の第一実施形態に係る注入装置を示した平面図、（ｂ）は正面図、（ｃ）は側面図である。
【図５】本考案の第一実施形態に係る注入装置を示した断面図である。
【図６】本考案の第一実施形態に係る注入装置の使用状態を示した斜視図である。
【図７】本考案の第二実施形態に係る注入装置を下側から見た斜視図である。
【図８】本考案の第二実施形態に係る注入装置を下側から見た分解斜視図である。
【図９】（ａ）は本考案の第二実施形態に係る注入装置を示した平面図、（ｂ）は正面図、（ｃ）は側面図である。
【図１０】（ａ）は本考案の第二実施形態に係る注入装置の注入部を示した側面図、（ｂ）は正面図である。
【図１１】本考案の第二実施形態に係る注入装置の注入部を示した分解斜視図である。
【考案を実施するための形態】
【００１３】
本考案の第一実施形態に係る注入装置について、添付図面を参照しつつ詳細に説明する。本実施形態では、舗装ブロックとして板状の自然石からなる石ブロックが採用されている。かかる注入装置１は、図６に示すような、路面に複数の石ブロック２，２・・を敷設するブロック舗装において、隣り合う石ブロック２，２間の極小目地３に充填材４を注入するためのものである。極小目地３とは、幅寸法が６ｍｍ程度の目地をいう。充填材４とは、下地材や目地材をいう。下地材は、石ブロック２の下側に充填されて石ブロック２の据付層（インジェクト層）となる。下地材は、たとえば衝撃吸収性と接着性に優れるアスファルト系材料であるＣＡモルタルにて構成されている。目地材は、極小目地３の上端部に充填されて化粧目地となる。目地材は、たとえば樹脂発泡体系目地材が用いられ、膨張収縮が可能となっている。なお、下地材および目地材の材質は、前記構成に限定されるものではない。
【００１４】
図１および図２に示すように、注入装置１は、ロート本体部１０と注入部２０と脚部３０とを備えている。
【００１５】
図３乃至図５にも示すように、ロート本体部１０は、上部が開口した箱状に形成されており、充填材４（図６参照）を貯留する。ロート本体部１０は、たとえば鉄板にて形成されている。ロート本体部１０の下端部は開口しており、下方に充填材を供給するようになっている。ロート本体部１０は、筒状部１１とロート状部１２とを備えている。筒状部１１は、上端から下端に渡って同一断面の断面四角形状を呈しており、四つの側面１３，１３・・にて構成されている。側面１３，１３・・のうち。後記するスリット１５に平行な一対の側面１３，１３には、補強プレート１３ａがそれぞれ取り付けられている。補強プレート１３ａには、脚部３０が取り付けられる（図２および図３参照）。筒状部１１の上端には、外側に広がる鍔部１４が形成されている。鍔部１４は、筒状部１１の形状を保持する補強材の役目を果たす。
【００１６】
ロート状部１２は、筒状部１１の下部に連続して形成されており、下方に向かうに連れて窄まっている。具体的には、ロート状部１２は、正面視で、上端から下端に亘って順次幅が狭くなっている。側面視では、上端から途中まで順次幅が狭くなり、下端部は幅が一定となっている。ロート状部１２の下端には、スリット１５が形成されて開口している（図３、図４の（ａ）および図５参照）。スリット１５は、ロート状部１２の下端部の、側面視での一定幅部分と同等の幅で形成されている。ロート状部１２を正面視したときの、下端部の逆三角形部分には、ボルト挿通孔１６が形成されている。ボルト挿通孔１６には、注入部２０を装着するためのボルトＢが挿通される。
【００１７】
注入部２０は、ロート本体部１０の下端を下側から覆う部材であって、ロート本体部１０に着脱可能に設けられている。注入部２０は、ステンレス合金にて形成されている。注入部２０は、下方に向かうに連れて窄んでおり、注入部２０の下端部には、極小目地３に挿入される注入口２１が形成されている。注入口２１は、スリット１５に沿った長尺形状を呈しており、スリット１５の下方に位置している。
【００１８】
具体的には、注入部２０は、正面視で、上端から下方に向かって順次幅（正面視における幅）が狭くなる断面逆三角形の傾斜部２２と、傾斜部２２の下端と同一幅（正面視における幅）で下方に垂下する垂下部２３とを備えている。垂下部２３は、傾斜部２２の逆三角形の下端から連続している。垂下部２３の外面幅寸法は、６ｍｍであり、極小目地３に挿入可能な寸法となっている。垂下部２３の内面幅寸法（注入流路の幅）は５ｍｍである。側面視では、傾斜部２２と垂下部２３はともに、幅（側面視における幅）が一定となっている（図４の（ｃ）参照）。傾斜部２２は、互いに対向する一対の側板部２２ａ，２２ａと、側板部２２ａ，２２ａの端部間の隙間を覆う端板部２２ｂ，２２ｂとを備えている（図１乃至図３参照）。側板部２２ａ，２２ａと端板部２２ｂ，２２ｂの内側面は、ロート状部１２の外側面と当接する。端板部２２ｂには、ボルト挿通孔２４が形成されている（図３参照）。ボルト挿通孔２４は、ロート本体部１０のボルト挿通孔１６に相当する位置に形成されている。ボルト挿通孔１６，２４に挿通されるボルトＢとナットで、注入部２０がロート本体部１０に着脱可能に装着される。
【００１９】
垂下部２３は、断面長方形状の筒型を呈しており、ロート本体部１０のスリット１５を下側から覆っている。垂下部２３の内部空間が、ロート本体部１０から流出した充填材４が通過する注入口２１となる。垂下部２３は、極小目地３に沿わせてその内部に挿入されることで、極小目地３の奥の方に充填材４を注入することができる。
【００２０】
脚部３０は、ロート本体部１０を起立させるためのものであって、ロート本体部１０を挟むように一対設けられている。脚部３０は、スリット１５の延在方向に沿った側面１３に取り付けられている。脚部３０は、基板３１と把持ハンドル３２と支持脚３３とを備えている。
【００２１】
基板３１は、鉄板にて構成されており、側面１３に取り付けられた補強プレート１３ａに当接して、取り付けられる部材である。基板３１は、縦長のボルト挿通孔３４（図３参照）が形成されており、縦方向の取付位置が調整可能になっている。
【００２２】
把持ハンドル３２は、作業員が注入装置１を運搬する際に把持する部位である。把持ハンドル３２は、鋼棒をＵ字状に折り曲げて形成されており、基板３１に直交する方向に配置されている。把持ハンドル３２のＵ字の開口側先端部は、基板３１に溶接されている。
【００２３】
支持脚３３は、鋼棒をＵ字状に折り曲げて形成されており、基板３１から下方に垂下ししている。支持脚３３のＵ字の開口側上端部は、基板３１に溶接されており、Ｕ字の連結部分が路面に当接するように構成されている。なお、脚部３０の形状は、一例であって、本実施形態の形状に限定されるものではない。
【００２４】
前記構成の注入装置１によれば、注入部２０の先端を幅の狭い構造として極小目地３に挿入可能としたことで、極小目地３に挿入した状態で充填材４の注入を行うことができる。したがって、下地材等の充填材４を、極小目地３の奥の下地層まで隙間なく充填することができる。
【００２５】
また、注入部２０をロート本体部１０と別体に形成し、ロート本体部１０に対して着脱可能に設けたことによって、注入部２０の先端が変形しても、別途の注入部２０に交換するができる。したがって、注入部２０を、容易に元の形状に復旧することができる。また、注入部を取り外して補修することでも元の形状に復旧することができる。この場合、注入部は、注入装置の一部であって小さいので取り扱い易く、補修が容易に行える。
【００２６】
さらに、注入部２０に充填材４が詰まって目詰まりを起こした場合においても、ロート本体部１０から注入部２０を取り外して容易にメンテナンスをすることができる。また、別途の注入部２０に交換して、目詰まりした注入部をメンテナンスするようにすれば、作業時間のロスを最小限にすることができる。
【００２７】
また、ロート本体部１０には、当該ロート本体部１０を起立させる脚部３０が取り付けられているので、注入装置１の設置や充填材４の注入の作業を安定した状態で行うことができる。
【００２８】
さらに、注入部２０は、ステンレス合金にて形成されているので、寸法精度が高く、正確な目地幅を備えた注入部２０を形成することができる。
【００２９】
本考案の第二実施形態に係る注入装置について、添付図面を参照しつつ詳細に説明する。図７および図８に示すように、かかる注入装置１０１は、注入部１２０の形状と、注入部１２０のロート本体部１０への取付構造が第一実施形態と異なる。図９にも示すように、ロート本体部１０の下端部には、注入部１２０を固定するためのフランジ１７が設けられている。フランジ１７は、ロート本体部１０の正面部と背面部の二面に外側に広がって設けられている。フランジ１７には、ボルト挿通孔１８が形成されている。ボルト挿通孔１８には、後記する注入部１２０のボルト挿通孔１２６，１２８に挿通されるボルトＢが挿通される。
【００３０】
注入部１２０は、ロート本体部１０に着脱可能に設けられている。注入部１２０は、ステンレス合金にて形成されている。図１０および図１１にも示すように、注入部１２０は、第一実施形態と同様に、下方に向かうに連れて窄んでおり、注入部１２０の下端部には、極小目地３に挿入される注入口１２１が形成されている。注入口１２１は、スリット１５に沿った長尺形状を呈しており、スリット１５の下方に位置している。
【００３１】
具体的には、注入部１２０は、
正面視で、上端から下方に向かって順次幅（正面視における幅）が狭くなる断面逆三角形の傾斜部１２２と、傾斜部１２２の下端と同一幅（正面視における幅）で下方に垂下する垂下部１２３とを備えている。垂下部１２３は、傾斜部１２２の逆三角形の下端から連続している。垂下部１２３の外面幅寸法は、極小目地３に挿入可能な寸法（６ｍｍ）となっている。側面視では、垂下部１２３は、傾斜部１２２の両端よりも外側に延在して、幅（側面視における幅）が広くなっている（図１０および図１１参照）。傾斜部１２２は、互いに対向する一対の側板部１２２ａ，１２２ａと、側板部１２２ａ，１２２ａの端部間の隙間を覆う端板部１２２ｂ，１２２ｂとを備えている（図１０および図１１参照）。側板部１２２ａ，１２２ａと端板部１２２ｂ，１２２ｂとは、溶接されている。側板部１２２ａ，１２２ａと端板部１２２ｂ，１２２ｂの内側面は、ロート状部１２の外側面と当接する。
【００３２】
垂下部１２３の両端には、立上板部１２４が設けられている。立上板部１２４は、注入部１２０をロート本体部１０に取り付けるための部位であって、垂下部１２３から上方に延出している。立上板部１２４の下端部は、垂下部１２３に溶接されている。立上板部１２４の上端には、縦長のボルト挿通孔１２６が形成されている。立上板部１２４の上端部には、係止板部１２５が取り付けられている。係止板部１２５は、水平板部１２５ａと立板部１２５ｂとを備えている。水平板部１２５ａは、フランジ１７の上面に係止される。立板部１２５ｂには、ボルト挿通孔１２７が形成されている。ボルト挿通孔１２６，１２８に挿通されたボルトＢを、フランジ１７のボルト挿通孔１８に挿入してナットＮで締め付けることで、注入部１２０がロート本体部１０に固定される。立上板部１２４のボルト挿通孔１２６は縦長であるので、注入部１２０の取付高さ調整が可能となる。
【００３３】
なお、フランジ１７を除いたロート本体部１０や脚部３０等のその他の構成については、第一実施形態と同様の構成であるので、同じ符号を付して説明を省略する。
【００３４】
以上のような構成の注入装置１０１においても、第一実施形態の注入装置１と同様の作用効果を得ることができる。
【００３５】
以上、本考案を実施するための形態について説明したが、本考案は前記実施の形態に限定する趣旨ではなく、本考案の趣旨を逸脱しない範囲で適宜設計変更が可能である。たとえば、前記実施形態では、注入部２０は、スリット状の注入口２１を備えているが、注入口２１の形状はスリット状に限定されるものではない。たとえば、ノズル形状の注入口を単体で用いてもよいし、ノズル形状の注入口を複数並べる構成であってもよい。
【００３６】
また、前記実施形態では、舗装ブロックとして石ブロックが用いられているが、これに限定されるものではなく、たとえば、レンガやコンクリートパネル等の人工物が用いられてもよい。
【符号の説明】
【００３７】
１      注入装置
２      石ブロック（舗装ブロック）
３      極小目地
４      充填材
１０    ロート本体部
２０    注入部
２２    傾斜部
２３    垂下部
３０    脚部
１０１  注入装置
１２０  注入部
１２２  傾斜部
１２３  垂下部
【図１】
0003214056.tif 000003
【図２】
0003214056.tif 000004
【図３】
0003214056.tif 000005
【図４】
0003214056.tif 000006
【図５】
0003214056.tif 000007
【図６】
0003214056.tif 000008
【図７】
0003214056.tif 000009
【図８】
0003214056.tif 000010
【図９】
0003214056.tif 000011
【図１０】
0003214056.tif 000012
【図１１】
0003214056.tif 000013